(57)【要約】【課題】見た人が瞬間的に残り時間または経過時間を感得することができるアナログ式時間表示装置を提供する。【解決手段】このアナログ式時間表示装置１は、時刻の経過と共に相対回転する少なくとも２つの表示板である固定表示板２と分表示板４を有し、２つの表示板２，４の回転比によって残り時間または経過時間を表示する。また、アナログ式時間表示装置１は、時刻の経過と共に相対回転する少なくとも２つの表示板である分表示板４と秒表示板６を有し、２つの表示板４，６の回転比によって秒の単位の残り時間または経過時間を表示する。【選択図】図１
0003184054.tif 000002
【実用新案登録請求の範囲】
【請求項１】
同一の回転中心で時刻の経過と共に相対回転する少なくとも２つの表示板を有し、
それぞれの前記表示板に、複数のイラストが形成され、
前記複数の複数のイラストは、全体として一つのイラストになるように形成され、
前記表示板を相対回転させ、前記表示板の前記複数のイラストが、前記全体として一つのイラストになるまでの前記表示板の回転比による前記複数のイラストの配置のずれによって、残り時間または経過時間を表示するとともに、所定時間が経過したら前記複数のイラストが前記全体として１つのイラストになることを特徴とするアナログ式時間表示装置。
【請求項２】
同一の回転中心で時刻の経過と共に相対回転する少なくとも２つの表示板を有し、
それぞれの前記表示板に、複数の色領域が形成され、
前記複数の色領域は、同じ色の色領域が重なり合うように形成され、
前記表示板を相対回転させ、前記表示板の前記同じ色の色領域が重なり合うまでの前記表示板の回転比による前記複数の色領域の重なりのずれによって、残り時間または経過時間を表示するとともに、所定時間が経過したら前記同じ色の色領域が重なり合うことを特徴とするアナログ式時間表示装置。
【請求項３】
請求項１または２に記載のアナログ式時間表示装置において、
前記表示板の少なくとも１つの外形形状を多角形状または楕円形状で形成することを特徴とするアナログ式時間表示装置。
【請求項４】
請求項１から３のいずれか１項に記載のアナログ式時間表示装置において、
前記表示板の一方が固定された第１の表示板とされ、
前記表示板の他方がＮ分（Ｎは１から３０のいずれかの整数）毎に１回転する第２の表示板とされたことを特徴とするアナログ式時間表示装置。
【請求項５】
請求項１から３のいずれか１項に記載のアナログ式時間表示装置において、
前記表示板の一方が１時間毎、１２時間毎または２４時間毎に１回転する第１の表示板とされ、前記表示板の他方がＮ分（Ｎは１から３０のいずれかの整数）毎に１回転する第２の表示板とされたことを特徴とするアナログ式時間表示装置。
【請求項６】
請求項４または５記載のアナログ式時間表示装置において、
６０秒毎に１回転する表示板をさらに有することを特徴とするアナログ式時間表示装置。
【請求項７】
請求項１から６のいずれか１項に記載のアナログ式時間表示装置において、
前記複数の表示板は多段に重ねて設置されていることを特徴とするアナログ式時間表示装置。
【考案の詳細な説明】
【技術分野】
【０００１】
本考案は、アナログ式時間表示装置に関する。
【背景技術】
【０００２】
従来から、残時間や経過時間を計測するものとしては、タイマーやストップウオッチなどが知られている。タイマーやストップウオッチなどは、細い針が動くことで、またはデジタル数字が変化していくことで、残時間や経過時間を表示している。また、一方で、装飾的な時計も知られている。たとえば、特許文献１では、アナログ式時計に装飾を施すため、様々な文字または模様等を文字盤、時針、分針または秒針に描いている。また、特許文献２では、時針と分針を回転ディスクで構成し、その回転ディスク面に模様を施している。
【先行技術文献】
【特許文献】
【０００３】
【特許文献１】特開平１０−１４２３５４号公報
【特許文献２】特表２０００−５０６６１８号公報
【考案の概要】
【考案が解決しようとする課題】
【０００４】
上述した細い針が動くタイマーやストップウオッチなどは、針が見づらく、残時間や経過時間の把握がしづらい。また、デジタル数字が変化していくタイマーやストップウオッチなどは、残時間や経過時間を頭の中で計算しなければならず、お年寄りや子どもには、それほど好ましいものではない。さらに、上述した特許文献１および２に記載されている時計は、装飾性は向上しているが、使い勝手が向上しているものではない。
【０００５】
そこで、本考案の目的は、上述の問題点の１つまたは複数を解決したアナログ式時間表示装置を提供することにある。
【課題を解決するための手段】
【０００６】
上記目的を達成するため、本考案のアナログ式時間表示装置は、同一の回転中心で時刻の経過と共に相対回転する少なくとも２つの表示板を有し、それぞれの表示板に、複数のイラストが形成され、複数のイラストは、全体として一つのイラストになるように形成され、表示板を相対回転させ、表示板の複数のイラストが、全体として一つのイラストになるまでの表示板の回転比による複数のイラストの配置のずれによって、残り時間または経過時間を表示するとともに、所定時間が経過したら複数のイラストが全体として１つのイラストになる。この考案のアナログ式時間表示装置は、それぞれの表示板に、全体として一つのイラストになるように形成されたイラストの位置ずれによって残り時間または経過時間を表示するとともに、所定時間が経過したら全体として１つのイラストになるので、見た人は、瞬間的に残り時間、経過時間または所定時間の経過を感得することができる。
【０００７】
上記目的を達成するため、本考案のアナログ式時間表示装置は、同一の回転中心で時刻の経過と共に相対回転する少なくとも２つの表示板を有し、それぞれの表示板に、複数の色領域が形成され、複数の色領域は、同じ色の色領域が重なり合うように形成され、表示板を相対回転させ、表示板の同じ色の色領域が重なり合うまでの表示板の回転比による複数の色領域の重なりのずれによって、残り時間または経過時間を表示するとともに、所定時間が経過したら同じ色の色領域が重なり合う。この考案のアナログ式時間表示装置は、それぞれの表示板に、同じ色の色領域が重なり合うように形成された複数の色領域の位置ずれによって残り時間または経過時間を表示するとともに、所定時間が経過したら同じ色の色領域が重なり合うので、見た人は、瞬間的に残り時間、経過時間または所定時間の経過を感得することができる。
【０００８】
ここで、表示板の少なくとも１つの外形形状を多角形状または楕円形状で形成してもよい。この構成では、装飾性が向上する。
【０００９】
また、表示板の一方を固定された第１の表示板とし、表示板の他方をＮ分（Ｎは１から３０のいずれかの整数）毎に１回転する第２の表示板としてもよい。この構成とすると、たとえば、従来の固定した文字盤を第１の表示板とし、分針を回転する表示板とすると、両者の回転比によって、経過時間または残時間を瞬間的に把握することができる。なお、Ｎを整数値としたが、３分３０秒など、Ｎを秒数値としたり、３０分を超える値としたりしてもよい。
【００１０】
また、表示板の一方を１時間毎、１２時間毎または２４時間毎に１回転する第１の表示板とし、表示板の他方をＮ分（Ｎは１から３０のいずれかの整数）毎に１回転する第２の表示板としてもよい。この構成とすると、たとえば、従来の文字盤に相当するものを回転する第１の表示板とし、分針を回転する表示板とすると、両者の回転比によって、経過時間または残時間を瞬間的に把握することができる。また、たとえば、第１の表示板を６分毎に１回転するものとし、第２の表示板を６０秒毎に１回転するものとすると、最初の状態から６分経過後は、最初の状態に戻ることとなるが、その戻りを感得することができる。なお、Ｎを整数値としたが、７分１０秒など、Ｎを秒数値としたり、３０分を超える値としたりしてもよい。
【００１１】
また、６０秒毎に１回転する表示板をさらに有することが好ましい。この構成とすると、第１と第２の表示板が時と分に相当するものであるとき、６０秒毎に１回転する表示板によって、秒の単位まで、経過時間または残時間を瞬間的に感得することができる。
【００１２】
また、表示板の一部に、穴または透明部を形成してもよい。この構成を採用すると、穴または透明部を活かしたデザインができ、装飾性が高まりやすい。また、この構成を採用した場合、他の利用方法として、秒の経過を表示するようにしてもよい。
【００１３】
また、複数の表示板を多段に重ねて設置し、各回転軸を同一の回転中心に形成するのが好ましい。このように構成すると、省スペース化が図れる。
【００１４】
また、表示板の一方が固定または回転する第１の表示板とされ、表示板の他方が６０秒毎に回転する第２の表示板とされ、第２の表示板の一部に穴が設けられる一方、その穴を介して視認できるように、第１の表示板の一部に、徐々にまたは段階的に長さまたは太さが大きくなる図柄が描かれているようにしてもよい。
【考案の効果】
【００１５】
本考案では、見た人が瞬間的に残り時間または経過時間を感得することができるアナログ式時間表示装置を提供できる。
【図面の簡単な説明】
【００１６】
【図１】本考案の第１の実施の形態に係るアナログ式時間表示装置の平面図であり、タイマーの開始時刻および終了時刻の状態を示している図である。
【図２】本考案の第１の実施の形態に係るアナログ式時間表示装置が備える表示板のうちの、最も下側（図１における紙面奥側）に配置される固定表示板を示す平面図である。
【図３】本考案の第２の実施の形態に係るアナログ式時間表示装置の平面図であり、タイマーの開始時刻および終了時刻の状態を示している図である。
【図４】本考案の第３の実施の形態に係るアナログ式時間表示装置の平面図であり、タイマーの開始時刻および終了時刻の状態を示している図である。
【図５】本考案の第３の実施の形態に係るアナログ式時間表示装置が備える表示板のうちの、最も下側（図４における紙面奥側）に配置される固定表示板を示す平面図である。
【図６】本考案の第３の実施の形態に係るアナログ式時間表示装置が備える表示板のうち、固定表示板の上側（図４における紙面手前側）に配置される、分表示板を示す平面図である。
【図７】本考案の第３の実施の形態に係るアナログ式時間表示装置が備える表示板のうち、分表示板の上側（図４における紙面手前側）に配置される、秒表示板を示す平面図である。
【図８】本考案の第４の実施の形態に係るアナログ式時間表示装置の平面図である。
【図９】本考案の第５の実施の形態に係るアナログ式時間表示装置の平面図である。
【図１０】本考案の第５の実施の形態に係るアナログ式時間表示装置が備える表示板のうち、図９の下側（図９における紙面奥側）に配置される表示板である、固定表示板の平面図である。
【図１１】本考案の第５の実施の形態に係るアナログ式時間表示装置の回転機構を動作させて、図９の状態から３０秒経過した状態を示す図である。
【図１２】本考案の第５の実施の形態に係るアナログ式時間表示装置の回転機構を動作させて、図９の状態から５５秒経過した状態を示す図である。
【考案を実施するための形態】
【００１７】
以下、本考案の各実施の形態に係るアナログ式時間表示装置の構成および動作について、図面を参照しながら説明する。
【００１８】
（第１の実施の形態に係るアナログ式時間表示装置の構成）
図１は、本考案の第１の実施の形態に係るアナログ式時間表示装置１の平面図であり、タイマーの開始時刻および終了時刻の状態を示している図である。アナログ式時間表示装置１は、時刻の経過と共に相対回転する３つの表示板２，４，６を有している。図２は、その表示板２，４，６のうちの、最も下側（図１における紙面奥側）に配置される固定表示板２を示す平面図である。固定表示板２は、外形が円形の板状部材であり、その円の中心Ａを中心として６０度間隔に６つの領域に分けられている。これらの６つの領域は、それぞれ異なる色が着色され、６つの色の領域２Ａ〜２Ｆとされている。領域２Ａは赤色、領域２Ｂは黄色、領域２Ｃは青色、領域２Ｄは緑色、領域２Ｅは茶色、領域２Ｆは白色である。また、中心Ａの位置には円形の穴３が形成されている。なお、色分けの境界には実際は線が描かれていないが、便宜上、線を描き、色分けの境界部分をわかりやすくしている（図１、図２および図３の全ての色分け部分も同様）。
【００１９】
図１に示すように、アナログ式時間表示装置１の３つの表示板２，４，６のうちの、固定表示板２の上側（図１における紙面手前側）には、分表示板４が配置されている。分表示板４は、その直径が、固定表示板２の直径の７０％の寸法であることが固定表示板２と異なるが、色の領域の配置は全く同じとされている。すなわち、分表示板４は、固定表示板２の６つの色の領域２Ａ〜２Ｆと同一の色および配置となる領域４Ａ〜４Ｆを有している。すなわち、領域４Ａは赤色、領域４Ｂは黄色、領域４Ｃは青色、領域４Ｄは緑色、領域４Ｅは茶色、領域４Ｆは白色である。なお分表示板４は、その中心Ｂの位置には、穴３と同じ大きさの円形の穴５が形成されている。このように、固定表示板２と分表示板４とは相似形となっている。
【００２０】
図１に示すように、アナログ式時間表示装置１の３つの表示板２，４，６のうちの、分表示板４の上側（図１における紙面手前側）には、秒表示板６が配置されている。秒表示板６は、分表示板４よりも外形が小さい正六角形である。また、秒表示板６は、その中心Ｃから正六角形の各頂点へと伸びる直線によって領域６Ａ〜６Ｆに色分けされている。領域６Ａ〜６Ｆは、領域２Ａ〜２Ｆおよび領域４Ａ〜４Ｆと同一の色および配置とされている。すなわち、領域６Ａは赤色、領域６Ｂは黄色、領域６Ｃは青色、領域６Ｄは緑色、領域６Ｅは茶色、領域６Ｆは白色である。また、秒表示板６の中心Ｃの位置には、穴３，５に比べ小さい大きさの円形の穴７が形成されている。
【００２１】
また、図１および図２では図示を省略しているが、アナログ式時間表示装置１は、通常の時計において使用される回転機構を備えている。ただし、時針に相当する部分は無く、しかも分針に相当する分表示板４の回転は、通常の時計に比べ、早くなるように、輪列が構成されている。すなわち、分表示板４の回転軸につながる減速輪列は、通常の時計機構に比べ、減速の程度を減らしている。アナログ式時間表示装置１は、固定表示板２の裏側にこの回転機構を備え、かつ分表示板４および秒表示板６は、それぞれ穴５および穴７から飛び出ている各回転軸に固定され、その各回転軸を共通の中心（中心Ａ，Ｂ，Ｃを共通の中心）にして、その回転機構によって回転させられている。この回転機構は、基本的構成において従来の時計の針を回転させる機構と同様であるが、その輪列構成は、上述したように、時刻の時に相当するものが無く、分の構成が異なる。この回転機構は、穴５の縁を保持し分表示板４と一体回転する回転軸（従来の分針軸に対応）と、穴７の縁を保持し秒表示板６と一体回転する回転軸（従来の秒針軸）を別々に有している。そして、穴５の縁を保持する回転軸は、６分で時計回りに１回転するように輪列が調節され、穴７の縁を保持する回転軸は、１分で時計回りに１回転するように輪列が調節されている。すなわち、アナログ式時間表示装置１では、複数の表示板２，４，６は多段に重ねて設置され、各回転軸は同一の回転中心に形成されている。
【００２２】
（第１の実施の形態に係るアナログ式時間表示装置１の動作）
まず初めに固定表示板２の領域２Ａ〜２Ｆと、分表示板４の領域４Ａ〜４Ｆと、秒表示板６の領域６Ａ〜６Ｆとを、同じ色の領域が重なり合うようにする。そして回転機構を動作させる。すると、各領域の色がずれ始めて同じ色の領域が重なり合わないようになる。秒表示板６は、通常の時計と同様に１分間で１回転する。分表示板４の領域４Ａ〜４Ｆは、１分経過毎に固定表示板２の２Ａ〜２Ｆの１つ隣の領域同士が重なり合うようになる。
【００２３】
すなわち、当初、領域２Ａと領域４Ａと領域６Ａとが重なり合っていたのが、１分経過すると領域２Ａと領域４Ｆとが完全に重なり合うようになり、２分経過すると領域２Ａと領域４Ｅとが完全に重なり合うようになり、３分経過すると領域２Ａと領域４Ｄとが完全に重なり合うようになり、４分経過すると領域２Ａと領域４Ｃとが完全に重なり合うようになり、５分経過すると領域２Ａと領域４Ｂとが完全に重なり合うようになる。そして、５分を経過した後は、徐々に領域２Ａと領域４Ａとが重なり合い始め、完全に６分を経過すると領域２Ａと領域４Ａとが再度、完全に重なり合う。このとき、すなわち、６分ちょうどとなると、秒表示板６も重なり合うこととなり、同色の領域（たとえば、領域２Ａと領域４Ａと領域６Ａ）がすべて、再び重なり合うようになる。同色の領域が重なり合っていないときは、固定表示板２と分表示板４の回転比が見た目で瞬間的に感得でき、６分までの残り時間または０分からの経過時間を感得することができる。また、秒表示板６と分表示板４または秒表示板６と固定表示板２との回転比から、秒の状態が把握できる。また、固定表示板２と分表示板４との回転比から、分の状態が把握できる。このように、このアナログ式時間表示装置１は、固定表示板２、分表示板４、秒表示板６の回転比によって６分までの残り時間または０分からの経過時間を表示することとなる。
【００２４】
また、初めに、固定表示板２と秒表示板６の各領域２Ａ〜２Ｆおよび領域６Ａ〜６Ｆを、同じ色の領域が重なり合うようにし、分表示板４の領域４Ｆを固定表示板２の領域２Ａおよび秒表示板６の領域６Ａとが重なり合うようにした状態で回転機構を動作させる。すると、５分経過した時に同色の領域（たとえば、領域２Ａと領域４Ａと領域６Ａ）が重なり合うようになる。この場合は、５分タイマーとなる。同様に、初めに、固定表示板２と秒表示板６の各領域２Ａ〜２Ｆおよび領域６Ａ〜６Ｆを、同じ色の領域が重なり合うようにし、分表示板４の領域４Ｅを固定表示板２の領域２Ａおよび秒表示板６の領域６Ａとが重なり合うようにした状態で回転機構を動作させる。すると、４分経過した時に同色の領域が重なり合うようになる。この場合は、４分タイマーとなる。さらに同様に、分表示板４の初めの位置を調節することで、３分、２分、１分経過した時に同色の領域が重なり合うようになる。すなわち、３分タイマー、２分タイマー、１分タイマーとなる。
【００２５】
（第２の実施の形態に係るアナログ式時間表示装置の構成）
図３は、本考案の第２の実施の形態に係るアナログ式時間表示装置１１の平面図であり、タイマーの開始時刻および終了時刻の状態を示している図である。アナログ式時間表示装置１１は、時刻の経過と共に相対回転する４つの表示板１２，１４，１６，１７を有している。図３の最も下側（図３における紙面奥側）に配置される表示板は、固定されたケースに対し、回転可能に組み込まれた可動表示板１２である。可動表示板１２は、外形が円形で中央が空間となる輪状部材であり、ケースの外周に取り付けられている。また、可動表示板１２には、その外端に１８０度間隔に２つの取っ手１３が固定設置されている。この可動表示板１２は、回転ベゼル状とされ、中心Ｅを回転中心として回転する。
【００２６】
また、アナログ式時間表示装置１１が有する表示板のうち、可動表示板１２の上側（図３における紙面手前側）には、時表示板１４が配置されている。時表示板１４は、１時間で１回転するものとなっているが、２４時間で１回転するものとしたり、１２時間で１回転したり、２時間で１回転するものとしたりしてもよい。時表示板１４は、外形が円形の板状部材であり、その直径は、可動表示板１２の直径の９０％と若干小さくされている。時表示板１４の表面は、第１の実施の形態に係る固定表示板２と同一の色と色分け形状と色配置となっている。すなわち、６つの色の領域１４Ａ〜１４Ｆが描かれ、領域１４Ａは赤色、領域１４Ｂは黄色、領域１４Ｃは青色、領域１４Ｄは緑色、領域１４Ｅは茶色、領域１４Ｆは白色とされている。時表示板１４の中心Ｅには円形の穴１５が形成されている。
【００２７】
また、アナログ式時間表示装置１１は、時表示板１４の上側（図３における紙面手前側）に、本考案の第１の実施の形態に係る分表示板４と同一の分表示板１６を備えている。分表示板１６の表面には、第１の実施の形態に係る分表示板４と同一の色と色分け形状と色配置が施され、６つの色の領域１６Ａ〜１６Ｆが描かれている。すなわち、領域１６Ａは赤色、領域１６Ｂは黄色、領域１６Ｃは青色、領域１６Ｄは緑色、領域１６Ｅは茶色、領域１６Ｆは白色である。また、分表示板１６の上側（図３における紙面手前側）には、本考案の第１の実施の形態に係る秒表示板６と同一の秒表示板１７が備えられている。秒表示板１７の表面には、第１の実施の形態に係る秒表示板６と同一の色と色分け形状と色配置が施されている。すなわち、６つの色の領域１７Ａ〜１７Ｆが描かれ、領域１７Ａは赤色、領域１７Ｂは黄色、領域１７Ｃは青色、領域１７Ｄは緑色、領域１７Ｅは茶色、領域１７Ｆは白色とされている。分表示板１６の中心Ｆおよび秒表示板１７の中心Ｇには、それぞれ円形の穴１８，１９が形成されている。
【００２８】
また、アナログ式時間表示装置１１は、通常の時計において使用される回転機構を備えている。ただし、時針に相当する時表示板１４および分針に相当する分表示板１６の各回転は、通常の時計に比べ、早くなるように、輪列が構成されている。すなわち、時表示板１４および分表示板１６の各回転軸への減速輪列は、通常の時計機構に比べ、減速の程度を減らしている。アナログ式時間表示装置１１は、時表示板１４の裏側にこの回転機構を備え、かつ、時表示板１４、分表示板１６および秒表示板１７は、それぞれ穴１５，１８，１９から飛び出ている各回転軸に固定され、その各回転軸を共通の中心（中心Ｅ，Ｆ，Ｇを共通の中心）にして、その回転機構によって回転させられている。この回転機構は、基本的構成において従来の時計の針を回転させる機構と同様であるが、その輪列構成は、上述したように、時および分の輪列構成が異なる。この回転機構は、穴１５の縁を保持し時表示板１４と一体回転する回転軸（従来の時針軸に対応）と、穴１８の縁を保持し分表示板１６と一体回転する回転軸（従来の分針軸に対応）と、穴１９の縁を保持し秒表示板１７と一体回転する回転軸（従来の秒針軸）を別々に有している。そして、穴１５の縁を保持する回転軸は、１時間で時計回りに１回転するように輪列が調節され、穴１８の縁を保持する回転軸は、６分で時計回りに１回転するように輪列が調節され、穴１９の縁を保持する回転軸は、１分で時計回りに１回転するように輪列が調節されている。すなわち、アナログ式時間表示装置１１では、複数の表示板１４，１６，１７は多段に重ねて設置され、各回転軸は同一の回転中心に形成されている。
【００２９】
ここで、可動表示板１２の取っ手１３を手で持ち、可動表示板１２に回転力を加えると、可動表示板１２が回転する。可動表示板１２の取っ手１３は、タイマーの開始時点の変更に用いる。なお、可動表示板１２に連動して分表示板１６が回動するようにしてもよい。この場合、分表示板１６の中心Ｆの穴１８の縁と回転機構の回転軸とが強固に固定されているようにするのではなく、若干の自由な回転を許容するようにするのが好ましい。そして、分表示板１６は、可動表示板１２が回転すると、それに追従するに足りる摩擦力が加えられる機構とする。
【００３０】
（第２の実施の形態に係るアナログ式時間表示装置１１の動作）
アナログ式時間表示装置１１の分表示板１６および秒表示板１７は、第１のアナログ式時間表示装置１の分表示板４および秒表示板６と同一の動作をすることができる。また、時表示板１４は、穴１５（中心Ｅ）を中心に６０分に１回転する。
【００３１】
可動表示板１２は、取っ手１３を用い、図３における矢印Ｘ方向（時計回り方向）およびその逆方向である反時計回り方向に、回転機構を用いず手動で回転させることができる。そのため、たとえば、６０分の残り時間または経過時間を計測するために回転機構が動作し始めた後、任意の時に取っ手１３を用いて可動表示板１２を回転させ、同色の領域が重なり合う開始時刻の位置に取っ手１３を配置し、開始時点を再設定することができる。すなわち、各表示板１４，１６，１７が図３の状態のとき、可動表示板１２を矢印Ｘ方向に回転させ、取っ手１３の一方を図３の真上に持ってくる。この状態で６０分タイマーを開始させる。その後、たとえば、５分経過時点で、再度、６０分を設定したいとき、可動表示板１２を３０度分だけ、矢印Ｘ方向に回転させる。これで、この位置が６０分経過時点の重なり線位置となり、再設定が可能となった訳である。このように、アナログ式時間表示装置１１は、時表示板１４、分表示板１６および秒表示板１７の回転比によって残り時間または経過時間を表示することとなる。また、可動表示板１２の利用によって、いわゆるタイマーの再設定が可能となる。
【００３２】
（第３の実施の形態に係るアナログ式時間表示装置の構成）
図４は、本考案の第３の実施の形態に係るアナログ式時間表示装置２１の平面図であり、タイマーの開始時刻および終了時刻の状態を示している図である。アナログ式時間表示装置２１は、時刻の経過と共に相対回転する３つの表示板２２，２５，２８を有している。図５は、その表示板２２，２５，２８のうちの、最も下側（図４における紙面奥側）に配置される固定表示板２２を示す平面図である。固定表示板２２は、外形が円形の板状部材であり、扇形のイラスト２３Ａおよびイラスト２３Ｂが、それぞれ、その中心Ｈから６０度の角度の範囲に渡って、かつ互いが中心Ｈを中心として点対称的となるように描かれている。イラスト２３Ａとイラスト２３Ｂは、図柄は異なるが、描かれている範囲は、中心Ｈに対して点対称的に描かれている。固定表示板２２のうち、イラスト２３Ａとイラスト２３Ｂが描かれていない部分は白色とされている。中心Ｈには円形の穴２４が形成されている。
【００３３】
図６は、アナログ式時間表示装置２１が有する表示板２２，２５，２８のうち、固定表示板２２の上側（図４における紙面手前側）に配置される、分表示板２５を示す平面図である。分表示板２５は、全体形状が固定表示板２２と同一の円形の板状部材である。分表示板２５は、６分間に１回転する構成とされているが、後述する輪列機構の減速比を変えることで、５分間に１回転する構成としたり、３分間に１回転する構成としたりしてもよい。そして分表示板２５には、扇形のイラスト２６Ａおよびイラスト２６Ｂが、それぞれ、その中心Ｊから６０度の角度の範囲に渡って、かつ互いが中心Ｊを中心にして点対称的となるように描かれている。イラスト２６Ａとイラスト２６Ｂは、図柄は異なるが、描かれている範囲は、中心Ｊに対して点対称的に描かれている。分表示板２５のうち、イラスト２６Ａとイラスト２６Ｂが描かれていない部分は透明とされている。中心Ｊには円形の穴２７が形成されている。
【００３４】
図７は、アナログ式時間表示装置２１が備える表示板２２，２５，２８のうち、分表示板２５の上側（図４における紙面手前側）に配置される、秒表示板２８を示す平面図である。秒表示板２８は、全体形状が固定表示板２２と同一の円形の板状部材である。秒表示板２８は、１分間に１回転する構成とされているが、後述する輪列機構の減速比を変えることで、３０秒に１回転する構成としたり、１２０秒に１回転する構成としたりしてもよい。そして秒表示板２８には、イラスト２８Ａとイラスト２８Ｂが、それぞれ、その中心Ｋから６０度の角度の範囲に渡って、かつ互いが中心Ｋを中心にして点対称的となるように描かれている。イラスト２８Ａとイラスト２８Ｂは、図柄は異なるが、描かれている範囲は、中心Ｋに対して点対称的に描かれている。秒表示板２８のうち、イラスト２８Ａとイラスト２８Ｂが描かれていない部分は透明とされている。中心Ｋには円形の穴２９が形成されている。
【００３５】
また、図４から図７では図示を省略しているが、アナログ式時間表示装置２１は、通常の時計において使用される回転機構を備えている。ただし、時針に相当する部分は無く、しかも分針に相当する分表示板２５の回転は、通常の時計に比べ、早くなるように、輪列が構成されている。すなわち、分表示板２５の回転軸への減速輪列は、通常の時計機構に比べ、減速の程度を減らしている。アナログ式時間表示装置２１は、固定表示板２２の裏側にこの回転機構を備え、かつ分表示板２５および秒表示板２８は、それぞれ穴２７および穴２９から飛び出ている各回転軸に固定され、その各回転軸を共通の中心（中心Ｊ，Ｋを共通の中心）にして、その回転機構によって回転させられている。この回転機構は、基本的構成において従来の時計の針を回転させる機構と同様であるが、その輪列構成は、上述したように、時刻の時に相当するものが無く、分の構成が異なる。この回転機構は、穴２７の縁を保持し分表示板２５と一体回転する回転軸（従来の分針軸に対応）と、穴２９の縁を保持し秒表示板２８と一体回転する回転軸（従来の秒針軸）を別々に有している。そして、穴２７の縁を保持する回転軸は、６分で時計回りに１回転するように輪列が調節され、穴２９の縁を保持する回転軸は、１分（６０秒）で時計回りに１回転するように輪列が調節されている。すなわち、アナログ式時間表示装置２１では、複数の表示板２２，２５，２８は多段に重ねて設置され、各回転軸は同一の回転中心に形成されている。
【００３６】
（第３の実施の形態に係るアナログ式時間表示装置２１の動作）
まず初めに図４に示すように、固定表示板２２のイラスト２３Ａ、イラスト２３Ｂと、分表示板２５のイラスト２６Ａ、イラスト２６Ｂと、秒表示板２８のイラスト２８Ａおよびイラスト２８Ｂとを互いが重ならないように結合させ、全体としてひとつのイラストとなるように配置する。なお、分表示板２５と秒表示板２８の各イラストが描かれていない部分は透明とされているため、固定表示板２２のイラスト２３Ａ，２３Ｂは、分表示板２５と秒表示板２８の透明部分を通して見ることができ、分表示板２５のイラスト２６Ａ，２６Ｂは、秒表示板２８の透明部分を通して見ることができる。
【００３７】
そして回転機構を動作させる。すると、各イラストの配置がずれ始めて全体として一つのイラストとならないようになる。しかし、回転機構を動作させ始めてから６分経過後に図４に示す初めの状態と同じ状態となる。このように、アナログ式時間表示装置２１は、固定表示板２２、分表示板２５、秒表示板２８の回転比によって、６分の残り時間または０分からの経過時間を表示することとなる。このアナログ式時間表示装置２１では、６分経過後に、再度、全体としてひとつのイラストとなるので、老人や子どもでも、より容易に、時間が来たことを瞬間的に感得することができる。なお、分表示板２５を他の構成、たとえば、５分に１回転する構成とすると、５分の残り時間または０分からの経過時間を表示するものとなる。
【００３８】
（第４の実施の形態に係るアナログ式時間表示装置の構成）
図８は、本考案の第４の実施の形態に係るアナログ式時間表示装置３１の平面図であり、タイマーの開始時刻および終了時刻の状態を示している図である。アナログ式時間表示装置３１は、時刻の経過と共に相対回転する３つの表示板３２，３４，３６を有している。図８の最も下側（図８における紙面奥側）に配置される表示板は、固定表示板３２である。固定表示板３２は、外形が円形の板状部材であり、その外端側に円環状のイラスト３２Ａが描かれている。固定表示板３２のうち、イラスト３２Ａが描かれていない中央の円形領域は白色とされている。固定表示板３２の中心Ｌには円形の穴３３が形成されている。
【００３９】
また、アナログ式時間表示装置３１が有する表示板３２，３４，３６のうち、固定表示板３２の上側（図８における紙面手前側）には、分表示板３４が配置されている。分表示板３４は、外形が円形の板状部材であり、その直径は、固定表示板３２の中央の円形白色領域の直径と同一である。そして分表示板３４は、その外端側に円環状のイラスト３４Ａが描かれている。分表示板３４のうち、イラスト３４Ａが描かれていない中央の円形領域は白色とされている。分表示板３４の中心Ｍには円形の穴３５が形成されている。
【００４０】
また、アナログ式時間表示装置３１が有する表示板３２，３４，３６のうち、分表示板３４の上側（図８における紙面手前側）には、秒表示板３６が配置されている。秒表示板３６は、外形が円形の板状部材であり、その直径は、分表示板３４の中央の円形白色領域の直径と同一である。そして秒表示板３６は、その全体にイラスト３６Ａが描かれている。秒表示板３６の中心Ｎには円形の穴３７が形成されている。
【００４１】
また、図８では図示を省略しているが、アナログ式時間表示装置３１は、アナログ式時間表示装置１やアナログ式時間表示装置２１と同様な回転機構を有している。すなわち、アナログ式時間表示装置３１は、固定表示板３２の裏側に設置され、分表示板３４および秒表示板３６をそれぞれ中心Ｍ、Ｎ（穴３５、穴３７）を中心に回転させる回転機構を備えている。この回転機構は、基本的構成において従来の時計の針を回転させる機構と同様の構成となっている。そのため、回転機構は、分表示板３４の穴３５の縁を保持する回転軸と、秒表示板３６の穴３７の縁を保持する回転軸を別々に有している。そして、分表示板３４の穴３５の縁を保持する回転軸は、３分で時計回りに１回転するように輪列が調節され、穴３７の縁を保持する回転軸は、１分で時計回りに１回転するように輪列が調節されている。すなわちアナログ式時間表示装置３１は、３分タイマーとされている。また、アナログ式時間表示装置３１では、複数の表示板３２，３４，３６を多段に重ねて設置し、各回転軸が同一の回転中心を持つように形成されている。
【００４２】
（第４の実施の形態に係るアナログ式時間表示装置３１の動作）
まず初めに図８に示すように、固定表示板３２のイラスト３２Ａと、分表示板３４のイラスト３４Ａと、秒表示板３６のイラスト３６Ａとを、全体として１つの星空を示すイラストとなるように配置する。
【００４３】
そして回転機構を動作させる。すると、各イラストの配置がずれ始めて、全体として１つの星空を示すイラストとならないようになる。しかし、回転機構を動作させ始めてから３分経過後に図８に示す初めの状態と同じ状態となる。このように、アナログ式時間表示装置３１は、固定表示板３２、分表示板３４、秒表示板３６の回転比によって３分の残り時間または０分からの経過時間を表示することとなる。このアナログ式時間表示装置３１では、３分経過後に、全体としてひとつのイラスト（星空）となるので、老人や子どもでも、より容易に、時間が来たことを瞬間的に感得することができる。なお、分表示板３４を他の構成、たとえば、１０分に１回転する構成とすると、１０分の残り時間または０分からの経過時間を表示するものとなる。
【００４４】
（第５の実施の形態に係るアナログ式時間表示装置の構成）
図９は、本考案の第５の実施の形態に係るアナログ式時間表示装置４１の平面図である。アナログ式時間表示装置４１は、時刻の経過と共に相対回転する２つの表示板４２，４４を有している。図１０は、図９の下側（図９における紙面奥側）に配置される表示板である、固定表示板４２の平面図である。固定表示板４２は、外形が円形の板状部材であり、その中央に渦巻曲線で囲われた内側部分が黒色（図９、図１０、図１１および図１２では便宜上ドットが分散された模様として示している。）に塗りつぶされた形状のイラスト４２Ａが描かれている。固定表示板４２のうち、イラスト４２Ａが描かれていない外周部分は白色とされている。固定表示板４２の中心Ｐには、円形の穴４３が形成されている。
【００４５】
また、アナログ式時間表示装置４１が有する表示板４２，４４のうち、固定表示板４２の上側（図９における紙面手前側）には、秒表示板４４が配置されている。秒表示板４４は、外形が円形で白色の板状部材であり、その直径は、固定表示板４２の直径と同一である。そして秒表示板４４には、その中央から外端側に伸びる長穴４５が形成されている。この長穴４５は、角に丸みを帯びた四角形状とされている。秒表示板４４の中心Ｑには、円形の穴４６が形成されている。
【００４６】
また、図９では図示を省略しているが、アナログ式時間表示装置４１は、固定表示板４２の裏側に設置され、秒表示板４４を、秒表示板４４の中心Ｑ（穴４６）を中心に回転させる回転機構を備えている。この回転機構は、基本的構成において従来の時計の針を回転させる機構と同様の構成を有している。この回転機構は、秒表示板４４の穴４６の縁を保持する回転軸を有している。そして、秒表示板４４の穴４６の縁を保持する回転軸は、１分で時計回りに１回転するように輪列が調節されている。すなわちアナログ式時間表示装置４１は、複数の表示板を多段に重ねて設置し、回転軸が回転中心に形成されている。
【００４７】
（第５の実施の形態に係るアナログ式時間表示装置４１の動作）
まず初めに図９に示すように、アナログ式時間表示装置４１の固定表示板４２と秒表示板４４との位置関係を、長穴４５から見えるイラスト４２Ａの黒色部分が最小の長さとなるように配置する。そして回転機構を動作させる。すると、長穴４５から見えるイラスト４２Ａの位置がずれ始めて、長穴４５から見えるイラスト４２Ａの黒色部分が長くなる。
【００４８】
図１１は、アナログ式時間表示装置４１の回転機構を動作させて３０秒経過した状態を示す図であり、図１２は、アナログ式時間表示装置４１の回転機構を動作させて５５秒経過した状態を示す図である。図１１では、長穴４５から見えるイラスト４２Ａの黒色部分が、長穴４５の長手方向の約半分を占め、図１２では、長穴４５から見えるイラスト４２Ａの黒色部分が、長穴４５の長手方向の約９０％を占めている。そして、アナログ式時間表示装置４１の回転機構をさらに動作させて６０秒経過すると、最初の図９に示す状態となる。このように、アナログ式時間表示装置４１は、固定表示板４２、秒表示板４４の回転比によって１分の残り時間または０分からの経過時間を表示することとなる。
【００４９】
（本考案の実施の形態によって得られる主な効果）
本考案の実施の形態に係るアナログ式時間表示装置１，１１，２１，３１および４１は、時刻の経過と共に相対回転する少なくとも２つの表示板を有し、その表示板の回転比によって残り時間または経過時間を表示する。そのため、アナログ式時間表示装置１，１１，２１，３１および４１は、時刻を表示する通常の時計とは異なり、表示板の回転比によって残り時間または経過時間を表示しているので、見た人は、瞬間的に残り時間または経過時間を感得することができる。また、装飾性が向上していると共に、その装飾物を活かして時間は把握しているので、使い勝手が向上している。
【００５０】
また、本考案の第２の実施の形態に係るアナログ式時間表示装置１１は、取っ手１３を操作することによって、動作が開始した後でも、利用者が残り時間または開始時刻を変更することができ、より一層、使い勝手の良いものとなる。
【００５１】
また、本考案の実施の形態に係るアナログ式時間表示装置２１，３１は、利用者の希望する模様が時刻の経過と共に形成されていくため、利用者にわくわく感を発生させると共に装飾性が高いものとなっている。また、ナログ式時間表示装置２１，３１においては、残り時間がゼロまたは経過時間到達時に形成される統一し結合したデザインによって、見た人は、一瞬で残り時間がゼロまたは経過時間到達を感得することができる。さらに、本考案の第５の実施の形態に係るアナログ式時間表示装置４１は、長穴４５から見えるイラスト４２Ａの黒色部分の動きを、あたかも砂時計の動きとして見せることができ、アナログ式時間表示装置としては異質の表示を可能としている。
【００５２】
（他の形態）
上述した本考案の実施の形態に係るアナログ式時間表示装置１，１１，２１，３１および４１は、本考案の好適な形態の一例ではあるが、これに限定されるものではなく本考案の要旨を変更しない範囲において種々の変形実施が可能である。
【００５３】
本考案の実施の形態に係るアナログ式時間表示装置１，１１，２１，３１および４１は、時刻の経過と共に相対回転する少なくとも２つの表示板を有し、その表示板の回転比によって残り時間または経過時間を表示している。ここで、固定表示板２，２２，３２，４２や可動表示板１２を時刻の経過と共に回転するものとしても良い。また、秒表示板６，１７，２８，３６は、設けないようにしてもよい。さらに表示板は、固定表示板２，２２，３２，４２、可動表示板１２、分表示板４，１６，２５，３４、秒表示板６，１７，２８，３６，４４、時表示板１４に限られず、１日に１回転する日表示板、１週間に１回転する週表示板等、種々の表示板としてもよい。
【００５４】
また、各種表示板の外形形状は円形または６角形とされている。しかし、その外形形状は３角形、４角形、５角形等の他の多角形状や、楕円形状、星形形状、等種々の形状で形成することができる。また、アナログ式時間表示装置２１の分表示板２５や秒表示板２８の透明部分を取り除いたものとしてもよい。すなわち、扇形形状のものを２つ対称的に配置した形状としてもよい。さらには、表示板形状を、扇形形状とし、回転中心をその先端の尖った部分としてもよい。また、表示板の少なくとも１つの外形形状を多角形状や楕円形状としてもよい。
【００５５】
また、アナログ式時間表示装置１，２１，３１および４１では、第１の表示板が固定された固定表示板２，２２，３２，４２とされ、第２の表示板が回転する分表示板４，２５，３４とされ、アナログ式時間表示装置１１では、第１の表示板が１時間に１回転する時表示板１４とされ、第２の表示板が分表示板１６とされている。しかし、第１の表示板と第２の表示板の関係は、これらのものだけではない。たとえば、第１の表示板を回転する分表示板４，１６，２５，３４とし、第２の表示板を回転する秒表示板６，１７，２８，３６，４４としてもよい。また、時表示板１４は１時間に１回転するが、２４時間、１２時間、２時間など他の時間毎に１回転するものとしてもよい。また、固定表示板２，２２，３２，４２を回転するものとした場合も同様に各種の時間を採用することができる。さらに、分表示板４，１６，２５，３４も上述した時間毎に１回転するものではなく、他の数値を採用してもよい。すなわち、分表示板４，１６，２５，３４を何分毎に１回転させるかは任意に設定できる。たとえば第２の表示板となる分表示板４，１６，２５，３４は、Ｎ分（Ｎは１から３０のいずれかの整数）毎に１回転するようにすることができる。また、Ｎを整数値以外の数値（たとえばＮ＝１．５＝９０秒）としたり、３０分を超える値としたりしてもよい。また、秒表示板６，１７，２８，３６，４４は、６０秒毎に１回転するものではなく、他の時間毎に１回転するもの、たとえば、３０秒毎に１回転するものとしたり、９０秒毎に１回転するものとしたりすることができる。
【００５６】
また、アナログ式時間表示装置１，１１，２１および３１は、６０秒毎に１回転する秒表示板６，１７，２８，３６を有しているが、上述したように、秒表示板６，１７，２８，３６は省略することができる。ただし秒表示板６，１７，２８，３６は動きが速いため、アナログ式時間表示装置１，１１，２１および３１が動作しているか否かを容易に把握できることから、それが存在することが好ましい。また、アナログ式時間表示装置４１は、秒表示板４４の代わりに、３分、４分など２分から１０分のいずれかの周期で１回転するようにされた表示板を用いることができる。さらに、アナログ式時間表示装置１１は、時表示板１４を省略することができる。また、アナログ式時間表示装置４１は、秒表示板４４に代えて、Ｎ分（Ｎは１から３０の範囲のいずれかの数値）毎に１回転する分表示板を設置することができる。
【００５７】
また、アナログ式時間表示装置４１の秒表示板４４には、秒表示板４４の一部をくり抜いた長穴４５が形成されている。しかし、長穴４５に相当する部分を透明または半透明の部材等で構成することができる。ただし、透明または半透明の部材は、光の照射の状態によって光が反射し、イラスト４２Ａの黒色が見えにくくなる場合があるため、長穴４５を設けることが好ましい。また、長穴４５ではなく、丸穴や四角の穴など他の形状の穴としてもよい。
【００５８】
また、アナログ式時間表示装置１，１１，２１，３１および４１は、複数の表示板を多段に重ねて設置し、各回転軸を同一の回転中心に形成している。すなわち、回転中心は１つとされている。しかし、各回転中心を同一位置に設けず、歯車輪列のように、表示板の外周の一部のみが重なるように、回転中心を並列配置にしてもよい。そうすることで、利用者の希望する模様が時刻の経過と共に形成されていく過程のデザインや、残り時間または経過時間到達時に形成される模様のデザインのバリエーションをさらに増やすことができる。
【００５９】
また、アナログ式時間表示装置４１は、固定表示板４２が固定され、秒表示板４４が６０秒毎に回転し、秒表示板４４の一部に長穴４５が設けられる一方、その長穴４５を介して視認できるように固定表示板４２の一部に徐々に長さが大きくなる図柄が描かれている。しかし、アナログ式時間表示装置４１は、秒表示板４４が固定され、固定表示板４２が６０秒毎に回転するものとしても良い。また、アナログ式時間表示装置４１は、長穴４５を介して視認できるように固定表示板４２の一部に徐々に太さが大きくなる図柄を描いても良い。また、図柄は、徐々にではなく、段階的に長さまたは太さが大きくなる図柄としてもよい。また、徐々にまたは段階的に長さまたは太さが小さくなる図柄としてもよい。
【００６０】
さらに、アナログ式時間表示装置４１は、イラスト４２Ａに代えて、たとえば長穴４５から順次異なる動物の絵が見えるようなイラスト等、他のイラスト、または秒数または分数を知らせるための数字等の文字等を採用することができる。さらに、長穴４５の切り抜き形状は、角に丸みを帯びた四角形状に限らず、他の形状、たとえば、丸い形状、三角形状、さらには、秒表示板４４の中央から外端を指すような矢印形状（通常のアナログ時計に用いられる針になぞらえることができる形状）等を採用することができる。
【００６１】
また、アナログ式時間表示装置１，１１，２１，３１に用いられている各イラストは、利用者の好みに応じて、適宜変更することができる。たとえば、アナログ式時間表示装置１，１１の各表示板に用いられているイラストは、それらの中心から６０度間隔に６つに色分けされたものであるが、たとえば、それらの中心から７２度間隔に５つに色分けされたもの等とすることができる。この色分け数は、３分計は３つ、５分計は５つ、など計測する時間数に対応させると、計測時間が分かりやすくなる。また、６つに色分けしたものでも、３領域と残りの３領域が同じような色並びとすると、６分計ではなく、３分計としても利用しやすくなり、３分計と６分計の２種類に使用可能となる。また、色分けに用いられる色と配置も適宜変更できる。さらに、アナログ式時間表示装置１，１１の各表示板に用いられているイラストは、色分けによるものを採用しなくても良い。
【００６２】
また、アナログ式時間表示装置１１は、可動表示板１２の取っ手１３に対して回転力を加えるようにすると、可動表示板１２が回転するが、取っ手１３に対して回転力を加えると、時表示板１４、分表示板１６および秒表示板１７のいずれか１つまたは２つが連動して回転するようにしても良い。また、取っ手１３は２つではなく、１つにしたり、３つ以上としたりしてもよい。また、可動表示板１２を支持するケースを回動可能にしてもよい。このようにケースを回動可能にすると、時表示板１４、分表示板１６および秒表示板１７は、時計機構によって回転し、可動表示板１２とケースは手動にて回転することとなり、回転する表示板は５つとなる。また、取っ手１３に相当する部材は、回動するケース、時表示板１４、分表示板１６および秒表示板１７のいずれか１つまたは複数に取り付けられていても良い。
【００６３】
また、第１の実施の形態の固定表示板２を回転可能な可動表示板とし、取っ手を付け、回転可能とすることで、図３における矢印Ｘ方向（時計回り方向）およびその逆方向である反時計回り方向に、回転機構を用いず手動で回転させることができる。このようにすると、６分の残り時間または経過時間を計測するために回転機構が動作し始めた後、任意の時に取っ手を用いて可動表示板を回転させ、同色の領域が重なり合う開始時刻または終了時刻を変更することで、タイマーを再設定することができる。
【００６４】
また、分表示板４，１６，２５，３４の一部に穴を開け、または一部を透明もしくは半透明とし、固定表示板２，２２，３２，４２や時表示板１４の図柄がその穴または透明部から見ることができる時刻になったら、所定の時間が経過した、または残時間がゼロとなったことがわかるようにしてもよい。さらには、穴または透明部から見ることができる図柄と、分表示板４，１６，２５，３４の図柄との一致や統一性から、所定の時間が経過した、または残時間がゼロとなったことがわかるようにしてもよい。
【００６５】
さらに、各実施の形態では、６分タイマーなどタイマーとして機能させる場合を説明したが、通常の１２時間時計や２４時間時計に本考案を採用して、通常の時計として動作させることができる。さらには、通常の時計として機能する表示部の上に、本考案の表示装置を載せ、時計およびタイマーとして機能させることもできる。
【符号の説明】
【００６６】
Ａ〜Ｑ  …  中心
１，１１，２１，３１，４１  …  アナログ式時間表示装置。
２，２２，３２，４２  …  固定表示板（表示板）
４，１６，２５，３４  …  分表示板（表示板）
６，１７，２８，３６，４４  …  秒表示板（表示板）
１２  …  可動表示板（表示板）
１４  …  時表示板（表示板）
２Ａ，２Ｂ，２Ｃ，２Ｄ，２Ｅ，２Ｆ，４Ａ，４Ｂ，４Ｃ，４Ｄ，４Ｅ，４Ｆ，６Ａ，６Ｂ，６Ｃ，６Ｄ，６Ｅ，６Ｆ  …  色領域
２３Ａ，２３Ｂ，２６Ａ，２６Ｂ，２８Ａ，２８Ｂ，３２Ａ，３４Ａ，３６Ａ，４２Ａ  …  イラスト
４５  …  長穴
【図１】
0003184054.tif 000003
【図２】
0003184054.tif 000004
【図３】
0003184054.tif 000005
【図４】
0003184054.tif 000006
【図５】
0003184054.tif 000007
【図６】
0003184054.tif 000008
【図７】
0003184054.tif 000009
【図８】
0003184054.tif 000010
【図９】
0003184054.tif 000011
【図１０】
0003184054.tif 000012
【図１１】
0003184054.tif 000013
【図１２】
0003184054.tif 000014